(57)【要約】【課題】地震などにより、下水本管とマンホールとの相対変位が生じても、下水流路に凹凸が生じる不具合を防止でき、下水の滑らかな流れが確保できるマンホールのインバートの提供。【解決手段】マンホール１の側壁１１に設けた接続穴１３に下水本管２の端部２１を接続するとともに、マンホール１１の底部に前記端部２１に滑らかに連なる流路を形成するマンホール１のインバート１０であって、下水本管２の端面２２から所定幅の隙間４を設けて前記底部に打設したコンクリートインバート３と、隙間４に設置されるとともにコンクリートインバート３と下水本管２の端部２１とを滑らかに接続する伸縮樋５とからなる。【選択図】　　　　図１
2004084349.tif 000002
【特許請求の範囲】
【請求項１】
マンホールの側壁に設けた接続穴に下水本管の端部を接続するとともに、マンホールの底部に前記下水本管の端部に滑らかに連なる流路を形成するマンホールのインバートであって、
前記下水本管の端面から所定幅の隙間を設けて前記底部に打設したコンクリートインバートと、前記隙間に設置されるとともに前記コンクリートインバートと前記下水本管の端部とを滑らかに接続する伸縮樋とからなるマンホールのインバート。
【請求項２】
請求項１に記載のマンホールのインバートにおいて、前記伸縮樋は、前記下水本管の端部に連結した外側樋と、該外側樋に重なる部分を有し前記コンクリートインバートに連結した内側樋とからなることを特徴とするマンホールのインバート。
【請求項３】
請求項２に記載のマンホールのインバートにおいて、前記内側樋は、上流側と下流側とが連続した一体の長樋であり、前記コンクリートインバートの上に固着されていることを特徴とするマンホールのインバート。
【発明の詳細な説明】
【０００１】
【発明の属する技術分野】
この発明は、地震などにより下水本管が変位して、下水道用マンホールの内部に設けた下水流路に凹凸が生じることを防止したマンホールのインバートに関する。
【０００２】
【従来の技術】
雨水升または汚水升となる下水道用マンホールの側壁には、遠心力鉄筋コンクリート管（ヒューム管とも言う）、陶管または塩化ビニル管等の下水本管が接続されている。この下水本管は、下水道用マンホールの側壁に削孔した接続穴に下水本管の端部を挿入し、取付孔の内周と下水本管の端部の外周との間にモルタルなどの固着材を充填して接続されている。
【０００３】
マンホールの底には、前記下水本管の端部に滑らかに連なる下水流路を形成するためコンクリートインバートが打設される。地震、重車両による振動などで、マンホールと下水本管との相対変位が生じると、下水本管とコンクリートインバートとが干渉してコンクリートインバートが破損したり、下水本管の端部とコンクリートインバートとの接続部に隙間ができたりし、下水流路に凹凸が形成され下水の円滑な流れが損なわれる。
【０００４】
【発明が解決しようとする課題】
この発明の目的は、地震などにより、下水本管とマンホールとの相対変位が生じても、下水流路に凹凸が生じる不具合を防止でき、下水の滑らかな流れが確保できるマンホールのインバートの提供にある。
【０００５】
【課題を解決するための手段】
この発明は、マンホールの側壁に設けた接続穴に下水本管の端部を接続するとともに、マンホールの底部に前記下水本管の端部に滑らかに連なる流路を形成するマンホールのインバートであって、
前記下水本管の端面から所定幅の隙間を設けて前記底部に打設したコンクリートインバートと、前記隙間に設置されるとともに前記コンクリートインバートと前記下水本管の端部とを滑らかに接続する伸縮樋とからなる。
【０００６】
【発明の作用、効果】
この発明では、地震などにより下水本管がマンホールの中心側に変位したときは伸縮樋が圧縮し、下水本管がマンホールの外方向に変位したときは伸縮樋が伸長する。これにより、下水流路の滑らかさが保持でき、下水の円滑な流れは保証されるとともに、下水本管がコンクリートインバートを破損する不具合が防止できる。
【０００７】
請求項２に記載の発明では、前記伸縮樋は、前記下水本管の端部に連結した外側樋と、該外側樋に重なる部分を有し前記コンクリートインバートに接続した内側樋とからなる。この構成により、耐久性に優れた実用性の高い伸縮樋が得られる。
【０００８】
請求項３に記載の発明では、内側樋は、上流側と下流側とが連続した一体の長樋であり、前記コンクリートインバートの上に固着されていることを特徴とする。この構成により、部品数の低減と施工の容易化が達成できる。
【０００９】
【発明の実施の形態】
この発明を図に示す第１実施例とともに説明する。図１〜３は、地中に設置された下水道用マンホール１であり、雨水升または汚水升を構成する鉄筋コンクリート構造物で、縦円筒形状の側壁１１と、底壁１２とを有する。マンホール１の側壁１１の所定位置に接続穴１３、１３が設けられており、接続穴１３、１３には上流側および下流側の下水本管２、２が接続されている。なお、側壁１１は縦四角形筒状であってもよい。
【００１０】
下水本管２は、鉄筋コンクリート管、陶管または塩化ビニル管などの導水管で、円形断面を有する。下水本管２の端部２１は接続穴１３に差し込まれ、端部２１の端面２２が側壁１１の内面１４と面一的に配されている。端部２１の外周と接続穴１３の内周との隙間は、モルタル１５を充填して固着されている。
【００１１】
マンホール１の下部には、上流側および下流側の下水本管２の端部２１、２１を緩やかな傾斜で連続するインバート１０が設けられている。底壁１２にコンクリートインバート３が打設され、端部２１の端面２２とコンクリートインバート３との間には、上流側および下流側の双方に所定幅の隙間４、４が設けられ、隙間４、４には伸縮樋５、５が架設されている。インバート１０は、コンクリートインバート３と伸縮樋５、５とからなり、滑らかな下水流路を形成している。
【００１２】
隙間４は、地震により下水本管２がマンホール１の中心に対して接近する方向に変位した場合に、端面２２がコンクリートインバート３の端３１に衝突して破壊することを防止する作用を有する。地震による変位量は、４０〜６０ｍｍ以内であるため、隙間４のマンホール１の半径方向の幅は１２０ｍｍ以下でよく、深さは端部２１の肉厚と同等以上であればよい。
【００１３】
伸縮樋５は、地震により下水本管２がマンホール１の中心に対して離れる方向に変位した場合に、端部２１とコンクリートインバート３との間の滑らかな流路が維持する作用を有する。伸縮樋５は、図４、図５に示す如く、端部２１に連結され端面２２に接触して一体的に変位する外側（下水本管側）樋６と、該外側樋６に摺動可能に重なる部分５１を有しコンクリートインバート３の端３１に接続した内側（コンクリートインバート側）樋７とからなる。
【００１４】
外側樋６と内側樋７とが重なる部分５１の長さは、上記の如く地震による変位量が４０〜６０ｍｍ以内であるため、１００ｍｍ以下でよい。また、下水の円滑な流れを確保する観点から、図示の如く上流側では外側樋６が内側樋７の上に重なり、下流側では内側樋７が外側樋６の上に摺動可能に重なる配置とし、沈殿物が堆積することを防止することが望ましい。
【００１５】
外側樋６は、ステンレス製で内径が下水本管２の内径に近似した略半円筒形を呈する。外側樋６の外側端には外周に端面２２に当接する鍔板６２が設けられ、内側端部には軸方向のスライド溝６３が形成されている。この実施例では、鍔板６２は５個の短く切断されたアングル材を使用しており、スライド溝６３は左右の中間位置に一か所づつ設けられている。
【００１６】
中央の鍔板６１は、端部２１と連結具６４で連結されている。連結具６４は、端部２１に開けた連結穴２３と鍔板６２とに係合する略凵字形を呈する。連結穴２３はエポキシ系の接着剤２４で封着することが望ましい。鍔板６１は、外力が加わって外側樋６が端部２１内に進入したり、中心側位置がずれることを阻止する作用を有する。鍔板６１は１つの半円環状を呈する部材を溶接してもよい。
【００１７】
内側樋７は、ステンレス製で内側端部７１がコンクリートインバート３の端部３１に接続して設置されている。内側端部７１の外周には、コンクリートインバート３に係合する係合縁板７２が溶接されており、コンクリートインバート３の打設時にコンクリートインバート３に連結される。外側端部７３の外周には、スライド溝６３に嵌まり込むネジ７４が溶接されている。ネジ７４にはナット７５が螺合されている。外側樋６と内側樋７とは、ネジ７４がスライド溝６３に嵌まるよう重ねられ、大きなスラストが加わるとスライド可能な状態でナット７５により一体に連結される。
【００１８】
この発明では、地震により下水本管２がマンホール１の中心側に変位すると、伸縮樋５が縮んで端部２１が隙間４に進入することを許容し、コンクリートインバート３の破損を防止するとともに下水流路の滑らかな連続を確保する。また、下水本管２がマンホール１の外側方向に変位すると、伸縮樋５が伸びて下水流路の滑らかな連続を確保する。
【００１９】
図６は、伸縮樋５の第２実施例を示す。伸縮樋５は、コンクリートインバート３を挿通して両端が隙間４内に突き出した連続内側樋８を有する。この構成では、部品数が低減し施工が容易になる利点がある。
【図面の簡単な説明】
【図１】マンホール底部の正面断面図である。
【図２】マンホール底部の平面断面図である。
【図３】マンホール底部の側面断面図である。
【図４】伸縮樋の斜視図である。
【図５】伸縮樋の側面図である。
【図６】第２実施例のマンホール底部の正面断面図である。
【符号の説明】
１　　マンホール
１０　インバート
１１　側壁
１２　底壁
１３　接続穴
２　　下水本管
２１　端部
２２　端面
３　　コンクリートインバート
４　　隙間
５　　伸縮樋
６　　外側樋
７　　内側樋
【図１】
2004084349.tif 000003
【図２】
2004084349.tif 000004
【図３】
2004084349.tif 000005
【図４】
2004084349.tif 000006
【図５】
2004084349.tif 000007
【図６】
2004084349.tif 000008